(57)【要約】【課題】ロール体の詰め替えを簡単な操作で容易且つ迅速にでき、その詰め替えに際しての損傷がなく耐久性に優れたロール体収容ケースを提供する。【課題を解決するための手段】周方向の一部にロール体２の出し入れ用の開口部３が形成されたケース本体４と、ケース本体４の周方向の一側部４ａに開閉自在に枢着され且つ閉じたときにケース本体４の他側部４ｂとの間で引き出し口７を形成する内蓋５と、周方向の他側部でケース本体４に開閉自在に枢着され且つ閉じたときに内蓋５及び引き出し口７から帯状シート１を外側から覆う外蓋６とを備え、外蓋６を開放して引き出し口７から帯状シート１を引き出した後、外蓋６の切り取り刃８により切り取る。【選択図】    図１
0003136626.tif 000002
【実用新案登録請求の範囲】
【請求項１】
帯状シート（１）が巻回されたロール体（２）をケース本体（４）に出し入れ自在に収容しておき、外蓋（６）を開放して引き出し口（７）から前記帯状シート（１）を引き出した後、前記外蓋（６）の切り取り刃（８）により切り取るようにしたロール体収容ケースにおいて、周方向の一部に前記ロール体（２）の出し入れ用の開口部（３）が形成された前記ケース本体（４）と、該ケース本体（４）の周方向の一側部（４ａ）で該ケース本体（４）に開閉自在に枢着され且つ閉じたときに前記ケース本体（４）の他側部（４ｂ）との間で前記引き出し口（７）を形成する内蓋（５）と、周方向の他側部で前記ケース本体（４）に開閉自在に枢着され且つ閉じたときに前記内蓋（５）及び前記引き出し口（７）から前記帯状シート（１）を外側から覆う前記外蓋（６）とを備えたことを特徴とするロール体収容ケース。
【請求項２】
前記ケース本体（４）は円弧状に形成された周壁部（１０）と、該周壁部（１０）の両端を塞ぐ側壁部（１１）とを備えた半円状であり、前記内蓋（５）は前記帯状シート（１）を覆う半円状であり、前記外蓋（６）は前記内蓋（５）を外周から覆う円弧状に形成された周壁部（３１）と、該周壁部（３１）の両端を塞ぐ側壁部（３２）とを備えた半円状であることを特徴とする請求項１に記載のロール体収容ケース。
【請求項３】
前記内蓋（５）の遊端側の外周と前記外蓋（６）の基部側の内周との間に、前記内蓋（５）及び前記外蓋（６）を閉じたときに、前記引き出し口（７）から引き出された前記帯状シート（１）を表裏両側から挟持する挟持部（９）を備えたことを特徴とする請求項１又は２に記載のロール体収容ケース。
【請求項４】
前記ケース本体（４）と前記内蓋（５）とのうち少なくとも前記ケース本体（４）の内周に、前記ロール体（２）の軸心方向に１個以上の嵌合部（２６，２７）を周方向に形成し、該嵌合部（２６，２７）に着脱自在に嵌合され且つ前記ケース本体（４）内の前記ロール体（２）を位置決めする位置決め体（２８）を備えたことを特徴とする請求項１〜３の何れかに記載のロール体収容ケース。
【請求項５】
前記内蓋（５）の遊端側に指掛け部（２９）を設けたことを特徴とする請求項１〜４の何れかに記載のロール体収容ケース。
【請求項６】
前記内蓋（５）は閉じた状態で前記ケース本体（４）内の前記ロール体（２）を視認可能であることを特徴とする請求項１〜５の何れかに記載のロール体収容ケース。
【考案の詳細な説明】
【技術分野】
【０００１】
本考案は、脂取り紙、紙石鹸等の帯状シートが巻回されたロール体を収容するロール体収容ケースに関するものである。
【背景技術】
【０００２】
脂取り紙等の帯状シートが巻回されたロール体をケース本体内に収容しておき、必要に応じて外蓋を開放して引き出し口から帯状シートを引き出して、外蓋の切り取り刃により切り取って使用できるようにした携帯式のロール体収容ケースがある（特許文献１）。
【０００３】
このロール体収容ケースは、引き出し口に沿って二つ割り状に分割された２個の分割体によりケース本体を構成し、その両分割体を長手方向の両端に係合爪を介して開閉自在に結合し、その一方の分割体に、切り取り刃を有する外蓋を開閉自在に枢着して、引き出し口及び引き出し口から引き出された帯状シートを外側から覆うようにしている。
【特許文献１】実用新案登録第３１２９１４８号公報
【考案の開示】
【考案が解決しようとする課題】
【０００４】
このようなロール体収容ケースは、ケース本体内のロール体がなくなれば、新しいロール体を詰め替えて使用できるので、その都度、収容ケース自体を廃棄する必要がなく無駄を防止できる利点がある。
【０００５】
しかし、従来は二つ割り状の分割体によりケース本体を構成し、その両分割体を両端の係合爪を介して開閉自在に結合しており、ロール体の詰め替え時にケース本体が２個の分割体に分離するだけでなく、両端の係合爪を係脱しながらケース本体を開閉する必要があるため、ロール体を詰め替える際の取り扱いが非常に煩わしく、しかもケース本体の開閉時に係合爪が損傷し易いという欠点がある。
【０００６】
本考案は、従来のこのような課題に鑑み、ロール体の詰め替えを簡単な操作で容易且つ迅速にでき、その詰め替えに際しての損傷がなく耐久性に優れたロール体収容ケースを提供することを目的とする。
【課題を解決するための手段】
【０００７】
本考案は、帯状シート１が巻回されたロール体２をケース本体４に出し入れ自在に収容しておき、外蓋６を開放して引き出し口７から前記帯状シート１を引き出した後、前記外蓋６の切り取り刃８により切り取るようにしたロール体収容ケースにおいて、周方向の一部に前記ロール体２の出し入れ用の開口部３が形成された前記ケース本体４と、該ケース本体４の周方向の一側部４ａで該ケース本体４に開閉自在に枢着され且つ閉じたときに前記ケース本体４の他側部４ｂとの間で前記引き出し口７を形成する内蓋５と、周方向の他側部で前記ケース本体４に開閉自在に枢着され且つ閉じたときに前記内蓋５及び前記引き出し口７から前記帯状シート１を外側から覆う前記外蓋６とを備えたものである。
【０００８】
前記ケース本体４は円弧状に形成された周壁部１０と、該周壁部１０の両端を塞ぐ側壁部１１とを備えた半円状であり、前記内蓋５は前記帯状シート１を覆う半円状であり、前記外蓋６は前記内蓋５を外周から覆う円弧状に形成された周壁部３１と、該周壁部３１の両端を塞ぐ側壁部３２とを備えた半円状であってもよい。
【０００９】
前記内蓋５の遊端側の外周と前記外蓋６の基部側の内周との間に、前記内蓋５及び前記外蓋６を閉じたときに、前記引き出し口７から引き出された前記帯状シート１を表裏両側から挟持する挟持部９を備えたものでもよい。
【００１０】
前記ケース本体４と前記内蓋５とのうち少なくとも前記ケース本体４の内周に、前記ロール体２の軸心方向に１個以上の嵌合部２６，２７を周方向に形成し、該嵌合部２６，２７に着脱自在に嵌合され且つ前記ケース本体４内の前記ロール体２を位置決めする位置決め体２８を備えたものでもよい。
【００１１】
前記内蓋５の遊端側に指掛け部２９を設けてもよい。前記内蓋５は閉じた状態で前記ケース本体４内の前記ロール体２を視認可能にすることが望ましい。
【考案の効果】
【００１２】
本考案では、ロール体の詰め替えを簡単な操作で容易且つ迅速にでき、その詰め替えに際しての損傷がなく耐久性に優れたものとなる。
【考案を実施するための最良の形態】
【００１３】
以下、本考案の各実施例を図面に基づいて詳述する。図１〜図１０は本考案の第１の実施例を例示する。
【００１４】
このロール体収容ケースはバッグ等に入れて持ち運び可能な携帯式であって、図１、図２に示すように脂取り紙、紙石鹸等の帯状シート１が巻回されたロール体２を引き出して切り取り可能に収容するためのものであり、周方向の一部に形成された開口部３からロール体２を出し入れ自在に収容するケース本体４と、周方向の一側部４ａでケース本体４に開閉自在に枢着された内蓋５と、周方向の他側部４ｂでケース本体４に開閉自在に取り付けられた外蓋６とを備え、合成樹脂材料により構成されている。
【００１５】
そして、使用に際しては、ケース本体４内にロール体２を収容しておき、外蓋６を開放して引き出し口７から帯状シート１を引き出して外蓋６の切り取り刃８により切り取り、また外蓋６を閉じて内蓋５及び引き出し口７から引き出された帯状シート１を外側から覆うと共に、内蓋５の遊端側と外蓋６の基部側との間の挟持部９により帯状シート１を表裏両側から挟持して巻き込みを防止するようになっている。
【００１６】
ケース本体４はロール体２を収容するためのもので、図１〜図８に示すように、円弧状に形成された周壁部１０と、この周壁部１０の長手方向（ロール体２の軸心方向）の両端を塞ぐ側壁部１１とを一体に備えた半円状であり、その内部にロール体２を収容する収容凹部１２が形成されている。なお、収容凹部１２はロール体２の一部、例えば上半分が開口部３から上側に突出する程度の深さである。
【００１７】
ケース本体４の周方向の一側部４ａ及び他側部４ｂ、即ち開口部３の幅方向の両側縁の長手方向の両端側には、図６〜図８に示すように、長手方向に相対向する一対の突出部１３，１４が周壁部１０と側壁部１１との隅部に設けられている。なお、この各突出部１３，１４間に長手方向のリブ１５，１６が略平行に形成されている。またケース本体４の収容凹部１２の長手方向の両端には、図６〜図８に示すように、ロール体２の軸心方向の移動を規制するための規制壁１７が周壁部１０と側壁部１１とに跨がって周方向の略中央部分に一体に形成されている。
【００１８】
内蓋５は閉じたときにケース本体４内のロール体２を覆うためのもので、図１〜図８に示すように、ロール体２の開口部３から上側に突出する上半分を覆う程度の円弧状に形成された周壁部１８と、この周壁部１８の長手方向（ロール体２の軸心方向）の両端を塞ぐ側壁部１９とを一体に備え、内部のロール体２を外部から確認できるように半透明又は透明な材料により略半円状に構成されている。なお、内蓋５の側壁部１９は省略してもよい。また内蓋５の周壁部１８にスリット、丸孔その他の開口を形成して、内部のロール体２を外部から目視可能にしてもよい。
【００１９】
この内蓋５は図６〜図８に示すように、長手方向に対向する一対の突出部１３，１４間に配置されると共に、基部側の軸部２１により突出部１３に回動自在に枢支され、ケース本体４との間でロール体２を保持する閉状態（図９参照）と、軸部２１の直上よりも外側に傾斜して起立する開状態（図１０参照）との間で開閉自在である。軸部２１は側壁部１９の基部側から長手方向の外側に突出しており、突出部１３の枢支孔２０に回動自在に挿入されている。
【００２０】
また内蓋５は軸部２１廻りに閉じた閉状態のときに側壁部１９がケース本体４の規制壁１７の開口端側に当接して、その遊端側がケース本体４のリブ１６に近接してリブ１６との間に引き出し口７を形成するようになっている。
【００２１】
内蓋５は図１に示すように、閉状態で係合部２２によりケース本体４に対して係脱自在に係止されている。係合部２２は図８に示すように、内蓋５の遊端側で長手方向の両側に形成された係合突起２３と、各突出部１４に形成された孔その他の係合凹部２４とを備え、内蓋５を閉状態にしたときに係合突起２３が係合凹部２４に係脱自在に係合して閉状態に保持するようになっている。係合突起２３は側壁部１９の遊端側から長手方向の外側に突出している。なお、係合部２２は、側壁部１９側に係合凹部２４を、突出部１４側に係合突起２３を夫々設けてもよい。
【００２２】
ケース本体４及び内蓋５の周壁部１０，１８の内周面には、図１、図６〜図８に示すように、長手方向の１箇所以上、例えば長手方向の中央部とその両側の規制壁１７の近傍の３箇所等の複数箇所に周方向の周溝等からなる嵌合部２６，２７が上下に相対向して形成され、収容すべきロール体２のシート幅に応じて、この嵌合部２６，２７によりリング状等の位置決め体２８を着脱自在に嵌合できるようになっている。なお、内蓋５の内周の嵌合部２７は省略してもよい。
【００２３】
また内蓋５の遊端側には、この内蓋５を開放する際に指を掛けるための指掛け部２９が円弧状に凹入して切欠き形成されている。この指掛け部２９は内蓋５の長手方向の中央から一方側にずれて、長手方向に隣り合う一対の嵌合部２７間に形成されている。このため指掛け部２９に指を掛けたときに位置決め体２８が邪魔になるようなことはない。
【００２４】
外蓋６は閉状態で内蓋５及び引き出し口７から引き出された帯状シート１を覆うためのもので、図１〜図８に示すように、内蓋５を外側から覆うように円弧状に形成された周壁部３１と、突出部１３，１４の外側で周壁部３１の長手方向（ロール体２の軸心方向）の両端を塞ぐ側壁部３２とを一体に備え、略半円状に構成されている。
【００２５】
この外蓋６は基部側の軸部３４により突出部１４に開閉自在に枢支され、内蓋５を覆う閉状態（図１参照）と、軸部３４の直上よりも外側に傾斜して起立する開状態（図９、図１０参照）との間で開閉自在である。軸部３４は各突出部１４から長手方向の外側に突出し、外蓋６の基部側で側壁部３２の枢支孔３３に回動自在に挿入されている。なお、外蓋６は閉状態のときに側壁部３２がケース本体４の側壁部１１の開口端側に当接し、開状態のときに基部側がリブ１６の外側でケース本体４の他側部４ｂに当接する。
【００２６】
また外蓋６は図１に示すように、閉状態で係合部３５によりケース本体４に対して係脱自在に係止されている。係合部３５は図８に示すように、外蓋６の遊端側で側壁部３２に形成された孔その他の係合凹部３６と、突出部１３から長手方向の外側に突出して形成された係合突起３７とを備え、外蓋６を閉状態にしたときに係合突起３７が係合凹部３６に係脱自在に係合して閉状態に保持するようになっている。なお、係合部３５は、側壁部３２側に係合突起３７を、突出部１３側に係合凹部３６を夫々設けてもよい。
【００２７】
外蓋６の遊端縁はケース本体４の端縁と略平行になっており、この外蓋６の遊端縁に切り取り刃８が設けられている。切り取り刃８は、外蓋６の遊端縁の長手方向に沿って略等間隔に配置され且つ外蓋６の遊端縁からケース本体４の他端縁側に突出する多数の突起刃３９により構成されている。
【００２８】
挟持部９は図１、図６及び図７に示すように、内蓋５側に形成された凹部４０と、外蓋６側に形成された突部４１とにより構成され、その凹部４０と突部４１との間で帯状シート１を表裏両側から挟持して、引き出し口７から内蓋５の外周側に引き出された帯状シート１の端部が、ケース本体４内での振動等に伴うロール体２の回転によって巻き込まれないようにしている。
【００２９】
凹部４０は内蓋５の遊端側の外周にその長手方向の略全長に設けられ、また突部４１は凹部４０に対応して外蓋６の基部側の内周に長手方向に形成されている。なお、凹部４０を外蓋６の内周に、突部４１を内蓋５の外周に夫々形成してもよい。また凹部４０、突部４１は長手方向の中央部に１個設けてもよいし、長手方向に所定の間隔を置いて複数個設けてもよい。更に凹部４０は省略して、両側に突部４１を設けてもよい。
【００３０】
ケース本体４、外蓋６の切り取り刃８側の対向端縁、即ちケース本体４の一端縁と外蓋６の遊端縁には、図１、図３、図４、図６〜図８に示すように、開閉用の操作突部４２，４３が切り取り刃８を上下に挟んで長手方向の反対側に設けられている。操作突部４２，４３はケース本体４、外蓋６の対向端縁から径方向の外方に突出する突出縁により構成され、長手方向の両端側から中央側へと徐々に突出量が大になっている。
【００３１】
ケース本体４の他端縁の両端部には、図１、図５に示すように、径方向の外方に円弧状に突出する突縁４５が設けられ、その一方の突縁４５にはストラップ等を連結する連結孔４６が形成されている。なお、操作突部４２，４３、突縁４５は転がり防止部を兼用している。
【００３２】
次にこのロール体収容ケースの使用方法を説明する。ロール体２の詰め替え、収容等に際しては、先ずケース本体４側を保持した状態で、図９に示すように外蓋６を軸部３４廻りにａ矢示方向へと開放し、次いで図１０に示すように内蓋５を軸部２１廻りにｂ矢示方向へと開放する。
【００３３】
すると図６、図７、図１０に示すように内蓋５、外蓋６が共に開状態に起立してケース本体４の開口部３の上側が開放するので、開口部３からケース本体４の収容凹部１２内へとロール体２を入れて収容する。そして、内蓋５、外蓋６の順で軸部２１，３４廻りに閉じて、内蓋５及び外蓋６を図１に示すように係合部２２，３５により閉状態で係止すればよい。このため従来の分解式のもの等に比較して、ロール体２の詰め替え作業等を容易且つ迅速に行えると共に、その詰め替え作業時に係合爪が損傷する等の問題も解消できる利点がある。
【００３４】
ロール体２をケース本体４に入れた後は、帯状シート１の一端側を引き出してから内蓋５を閉じる。これによって帯状シート１の一端側が引き出し口７から内蓋５の外周側に引き出された状態となるが、その後に外蓋６を閉じることにより、内蓋５及び帯状シート１の引き出し部分を外蓋６で覆うことができる。なお、この場合の帯状シート１の引き出し量は、その先端が切り取り刃８から出ない程度とすることが望ましい。
【００３５】
帯状シート１を切り取って使用するときには、例えば外蓋６を開けて内蓋５の外周側にある帯状シート１の一端側を摘み必要長さ分だけ引き出す。そして、外蓋６を閉状態に閉じた後、帯状シート１の一端側を上側に引っ張って切り取り刃８により切り取ればよい。このように外蓋６を開放することにより、帯状シート１の端部を容易に摘んで引き出すことができる。
【００３６】
なお、ロール体２は引き出し口７から出た帯状シート１の端部が内蓋５の外周面に沿うように入れることが望ましい。何故ならロール体２から帯状シート１を引き出すと、帯状シート１の引き出し部分はその巻きぐせにより巻き込み状になる。このため帯状シート１の巻きぐせが内蓋５の外周面に沿う方向であればよい。しかし、帯状シート１の巻きぐせが反対方向の場合には、引き出し口７よりも外側の帯状シート１が外蓋６の内周面に沿って密着して、外蓋６を開放しても、帯状シート１の端部を摘まみ難くなることがある。
【００３７】
外蓋６を閉じた状態では、外蓋６の突部４１と内蓋５の凹部４０とからなる挟持部９が帯状シート１を移動しないように表裏両側から挟持しているため、収容ケースの全体が振動しても、ケース本体４と内蓋５との間でロール体２が巻き込み方向に回転して、内蓋５の外周側の帯状シート１が巻き込まれるようなこともない。このため外蓋６を開放すれば、帯状シート１の端部を容易に摘んで引き出すことができる。
【００３８】
また挟持部９で帯状シート１を表裏両側から挟んで挟持する場合に、外蓋６に軸部３４廻りに開放方向の力がかかる。しかし、挟持部９が内蓋５の遊端側と外蓋６の基部側との間にあるため、外蓋６にかかる開放方向の分力を小さくでき、係合部３５の係合によって外蓋６を十分に閉状態に保持することができる。
【００３９】
更に外蓋６を開放して引き出し口７からロール体２の帯状シート１を引き出すときに、内蓋５の遊端側に軸部２１廻りに開放方向の力がかかる。しかし、内蓋５は係合部２２を介してケース本体４側に係合しているため、帯状シート１を引き出す際に内蓋５が開放するようなこともない。
【００４０】
内蓋５、外蓋６は閉状態では係合部２２，３５によりケース本体４に係止されている。しかし、ケース本体４及び外蓋６に切り取り刃８を挟んで上下両側に操作突部４２，４３があり、内蓋５の遊端側に指掛け部２９があるため、これらに指を掛けて操作することにより、外蓋６及び内蓋５を順次容易に開放できる。
【００４１】
この収容ケースをシート幅の異なる複数種類の帯状シート１に対して使用する場合には、そのシート幅に応じて、ケース本体４の複数個の嵌合部２６のうちの何れかにリング状の位置決め体２８を嵌め込む。例えば、帯状シート１が比較的幅の狭い紙石鹸等の場合であれば、長手方向の両側の２個の嵌合部２６に位置決め体２８をセットし、その両位置決め体２８間にロール体２を収容する。内蓋５を閉じれば、位置決め体２８が内蓋５の内周の嵌合部２７に嵌合して移動しなくなる。このためシート幅の異なる複数種類の帯状シート１を収容することが可能である。
【００４２】
図１１及び図１２は本考案の第２の実施例を例示する。ケース本体４、外蓋６は、半円状の他、図１１及び図１２に示すように略コ字状に構成することも可能である。この場合、収容凹部１２内でロール体２が回転し易くなるように、ケース本体４の内周面に円弧状の案内リブ４８等を設けてもよい。なお、他の構成は第１の実施例と略同じである。
【００４３】
以上、本考案の各実施例について詳述したが、各実施例に限定されるものではなく、本考案の趣旨を逸脱しない範囲で種々の変更が可能である。例えば、実施例では、脂取り紙、紙石鹸等の帯状シート１を巻回したロール体２について例示しているが、その帯状シート１は切り取り刃８で比較的容易に切り取れるシート材であれば紙以外のものでもよいし、化粧用、衛生用以外の目的で使用するものでもよい。従って、この収容ケースは、携帯を要するあらゆる帯状シート１を対象に使用することができる。
【００４４】
内蓋５の周壁部１８は円弧状が最適であるが、円弧状以外でもよい。また外蓋６の側壁部３２が内蓋５の両端に近接するように構成すれば、内蓋５の側壁部１９は省略してもよい。切り取り刃８を構成する多数の突起刃３９は鋸歯状でもよい。また切り取り刃８は一枚刃にしてもよい。また内蓋５は周壁部１８を網目状、格子状に構成してもよい。
【００４５】
挟持部９は引き出し口７から引き出された帯状シート１を表裏両側から挟持できる構造であれば十分であり、例えば内蓋５の外周面又は外蓋６の内周面と、この外周面又は内周面へと突出する突起４１との間で帯状シート１を表裏両側から挟持するようにしてもよい。
【００４６】
位置決め体２８はケース本体４及び内蓋５の内周面が円弧状のときにはリング状に構成するのが望ましいが、必ずしもリング状である必要はなく、ロール体２の軸心方向の移動を規制できる構造であって、ケース本体４及び内蓋５に移動しないように固定できる構造であれば十分である。また内蓋５の内周の嵌合部２６，２７は省略してもよい。勿論、収容ケースが特定のシート幅のロール体２を対象として専用品の場合には、嵌合部２６，２７、位置決め体２８等は不要である。
【図面の簡単な説明】
【００４７】
【図１】本考案の第１の実施例を示す収容ケースの拡大横断面図である。
【図２】同収容ケースの縦断面図である。
【図３】同収容ケースの斜視図である。
【図４】同収容ケースの正面図である。
【図５】同収容ケースの平面図である。
【図６】同収容ケースの開放状態の平面図である。
【図７】同収容ケースの開放状態の斜視図である。
【図８】同収容ケースの分解斜視図である。
【図９】同収容ケースの外蓋の開放状態の側面図である。
【図１０】同収容ケースの外蓋及び内蓋の開放状態の側面図である。
【図１１】本考案の第２の実施例を示す収容ケースの斜視図である。
【図１２】同収容ケースの拡大横断面図である。
【符号の説明】
【００４８】
１  帯状シート
２  ロール体
３  開口部
４  ケース本体
５  内蓋
６  外蓋
７  引き出し口
８  切り取り刃
９  挟持部
１０，３１  周壁部
１１，３２  側壁部
２６，２７  嵌合部
２８  位置決め体
２９  指掛け部
【図１】
0003136626.tif 000003
【図２】
0003136626.tif 000004
【図３】
0003136626.tif 000005
【図４】
0003136626.tif 000006
【図５】
0003136626.tif 000007
【図６】
0003136626.tif 000008
【図７】
0003136626.tif 000009
【図８】
0003136626.tif 000010
【図９】
0003136626.tif 000011
【図１０】
0003136626.tif 000012
【図１１】
0003136626.tif 000013
【図１２】
0003136626.tif 000014